(57)【特許請求の範囲】
【請求項１】
グリッドを着脱可能とする放射線撮影装置において、前記グリッドを撮影装置内の少なくとも２つ以上の所定位置に固定する固定手段又は位置規制手段を有し、前記所定位置は前記グリッドの着脱行程中に設けたことを特徴とする放射線撮影装置のグリッド着脱機構。
【請求項２】
グリッドを着脱可能とする放射線撮影装置において、前記グリッドを撮影装置内の少なくとも２つ以上の所定位置に固定する固定手段又は位置規制手段と、前記固定手段又は位置規制手段を解除する解除手段とを有し、前記所定位置は前記グリッドの着脱行程中に設けたことを特徴とする放射線撮影装置のグリッド着脱機構。
【請求項３】
前記解除手段を少なくとも２つ設け、前記解除手段を異なる位置に配置したことを特徴とする請求項２に記載の放射線撮影装置のグリッド着脱機構。
【請求項４】
前記グリッドの取り外し行程中における最終の固定手段又は位置規制手段の固定又は位置規制作用中に、前記解除手段が作動するようにしたことを特徴とする請求項２に記載の放射線撮影装置のグリッド着脱機構。
【請求項５】
前記固定手段又は位置規制手段のうち、少なくとも前記グリッドの取り外し行程中における最終の固定手段又は位置規制手段を解除する解除手段を前記グリッドに設けたことを特徴とする請求項２に記載の放射線撮影装置のグリッド着脱機構。
【請求項６】
前記所定位置の１つは撮影時の前記グリッドの位置であることを特徴とする請求項１〜５の何れか１つの請求項に記載の放射線撮影装置のグリッド着脱機構。
【発明の詳細な説明】
【０００１】
【発明の属する技術分野】
本発明は、散乱線を除去するために用いるグリッドの着脱が可能な放射線撮影装置のグリッド着脱機構に関するものである。
【０００２】
【従来の技術】
従来から、放射線撮影装置からグリッドを脱着可能な放射線撮影装置としては、特開２０００−１３９８８７号公報に開示されている。
【０００３】
また、放射線撮影装置の他の例として、撮影装置の姿勢を自在に切換えられるものが知られている。例えば、所謂Ｃアーム撮影装置では、Ｃアームの両端部にＸ線発生源とＸ線撮影部がそれぞれ設けられており、Ｃアームを支える支軸を中心としたＣアームの支軸回転及びＣアームの形状に沿って、Ｃアームが摺動するスライド回転等が可能となっており、Ｘ線撮影部の姿勢を切換えることにより、様々な方向及び角度から被写体の撮影が可能となっている。
【０００４】
【発明が解決しようとする課題】
しかしながら上述の従来例においては、操作者が撮影装置にグリッドを装着したり、取り外したりする操作を行うため、誤操作或いは操作中の不注意等により、同様にグリッドを落下させてしまうこともある。
【０００５】
また、Ｃアームに取り付けられた放射線撮影部のグリッドを着脱可能にした場合には、放射線撮影部の姿勢によってはグリッドの着脱方向と重力方向とが略一致し、グリッドの着脱操作時の誤操作或いは操作中の不注意等により、グリッドを落下させてしまう虞れがある。
【０００６】
これらの結果、グリッドに衝撃が加わりグリッドの特性が変化し、特性の変化したグリッドを使用して撮影すると、画質の劣化を招く虞れがある。また、衝撃による特性の変化を回避するためには、グリッドを強固な構造にする必要がある。
【０００７】
本発明の目的は、上述の課題を解決し、グリッドの着脱操作時のグリッドの落下を防止する機構を有する放射線撮影装置のグリッド着脱機構を提供することにある。
【０００８】
【課題を解決するための手段】
上記目的を達成するための本発明に係る放射線撮影装置のグリッド着脱機構は、グリッドを着脱可能とする放射線撮影装置において、前記グリッドを撮影装置内の少なくとも２つ以上の所定位置に固定する固定手段又は位置規制手段を有し、前記所定位置は前記グリッドの着脱行程中に設けたことを特徴とする。
【０００９】
また、本発明に係る放射線撮影装置のグリッド着脱機構は、グリッドを着脱可能とする放射線撮影装置において、前記グリッドを撮影装置内の少なくとも２つ以上の所定位置に固定する固定手段又は位置規制手段と、前記固定手段又は位置規制手段を解除する解除手段とを有し、前記所定位置は前記グリッドの着脱行程中に設けたことを特徴とする。
【００１０】
【発明の実施の形態】
本発明を図示の実施の形態に基づいて詳細に説明する。
図１は第１の実施の形態におけるグリッド着脱機構が設けられた放射線撮影装置の上方から見た断面図、図２は側方から見た断面図を示している。撮影装置１はＸ線発生部２のＸ線照射側前方に配置され、外部に設けた被写体は撮影装置１とＸ線発生部２の間に配置されている。撮影装置１は図示しない信号処理部、電源部、表示部等を備えた制御部にケーブルを介して接続されている。撮影装置１の筐体３の一側面には開口部３ａが設けられ、この開口部３ａを開閉するためのカバー４がヒンジ５を介して筐体３に取り付けられている。
【００１１】
筐体３の内部には、Ｘ線発生部２側からグリッド６とＸ線受像部７が順次に配置されている。このグリッド６は被写体の散乱Ｘ線を除去するためのものであり、Ｘ線受像部７の前面に配置され、筐体３に着脱自在に配置されている。更に、グリッド６には着脱を容易にするための握り部を有するハンドル８が取り付けられている。また、筐体３の内部のグリッド６を収納している空間内には、グリッド６をＸ線受像部７に対して平行に案内する図示しない案内部材が設けられている。
【００１２】
Ｘ線受像部７の内部には、グリッド６側から放射線像デジタル検出器７ａと読取回路７ｂが順次に配置されており、読取回路７ｂは放射線像デジタル検出器７ａに接続され、撮影された画像信号をデジタル信号として出力するようになっている。
【００１３】
なお、グリッド６を使用せずに被写体を撮影する場合には、カバー４を開けハンドル８を把持してグリッド６を筐体３から取り出し、カバー４を閉じて撮影する。
【００１４】
図３はＸ線発生部２側から見たグリッド６の正面図、図４は平面図をそれぞれ示している。グリッド本体１１は固定部材１２を介して枠状のグリッド保持部１３に固定されている。このグリッド保持部１３の外周は壁を有しており、ハンドル８が取り付けられた面の他面の両隅部はテーパ形状とされている。また、グリッド保持部１３の外周壁のうち、ハンドル８が取り付けられた面と直交する上面には、ハンドル８に近い側から距離Ｌの間隔で第１、第２の嵌合穴１４、１５が形成されている。
【００１５】
図５は撮影装置１に装着されたグリッド６をＸ線発生装置２側から見た正面図を示している。撮影装置１の内部にはグリッド６を案内するための案内部材２１、２２が設けられている。また、撮影装置１の右上部には、グリッド６を固定するＬ字形状の固定ピン２３が設けられており、固定ピン２３の先端部は開口部３ａ側がテーパ形状とされており、案内部材により矢印Ａ、Ｂ方向にスライド移動可能であり、更に図示しない付勢手段によって位置Ａ方向に付勢されている。そして、固定ピン２３はグリッド保持部１３に設けられた第１の嵌合穴１４に係合し、グリッド６を第１の位置に固定し、グリッド６を使用する際にはグリッド６がこの第１の位置に固定されている状態で撮影を行う。
【００１６】
一方、固定ピン２３の他端は筐体３から外部に露出されており、解除レバー２４とされている。解除レバー２４を矢印方向にスライド移動させると、固定ピン２３が付勢手段による付勢力に抗して位置Ｂに押し上げられ、グリッド６の固定を解除することができる。
【００１７】
グリッド６を撮影装置１から取り外す際には、解除レバー２４の操作により固定ピン２３による第１の嵌合穴１４に対するグリッド６の固定を解除し、ハンドル８を握って右方向へ引き出すと、グリッド６を上下に挟むように配置された案内部材２１、２２の案内により、グリッド６が平行に移動すると共に、固定ピン２３はグリッド保持部１３の外壁に当接し、位置Ｂにある状態を維持する。更に、グリッド６を右方向へ移動すると、図６に示すように固定ピン２３が付勢手段の作用により、第２の嵌合穴１５と係合し、グリッド６は第２の位置に固定する。即ち、グリッド６を撮影装置１から略距離Ｌだけ引き出された状態で一旦固定される。グリッド６を撮影装置１から完全に取り外すには、再度、解除レバー２４を操作して第２の嵌合穴１５に対するグリッド６の固定を解除し、グリッド６を完全に引き出す。
【００１８】
逆に、グリッド６を撮影装置１に挿入する場合には、グリッド６を開口部３ａから撮影装置１に挿入すると、グリッド６は案内部材２１、２２に案内されながら撮影装置１内に進入し、グリッド保持部１３に設けられたテーパ形状の先端部と固定ピン２３のテーパ形状の先端部が当接し、位置Ａに付勢されていた固定ピン２３が位置Ｂに押し上げられる。更に、グリッド６を挿入すると、図６に示すようにグリッド６は第２の位置に一旦固定される。
【００１９】
続いて、解除レバー２４の操作によりグリッド６の固定を解除し、更にグリッド６を挿入すると、図５に示すように固定ピン２３が第２の嵌合穴１５に係合し、グリッド６が第１の位置に固定され、グリッド６を使用した撮影が可能な状態になる。
【００２０】
例えば、このような構成のグリッド着脱機構を設けたＣアームを有する撮影装置においては、グリッド６を第１の位置に固定された状態で、撮影装置１の姿勢がグリッド着脱方向と重力方向が略一致する方向に切換えられ、解除レバー２４の操作によりグリッド６の固定が解除され、グリッド６が開口部３ａから落下し始めても第２の位置で再び固定される。従って、解除レバー２４の操作時に誤ってグリッド６を保持し忘れたとしても、直ちに床に落下することはない。
【００２１】
また、グリッド６が第１の位置と第２の位置の間まで挿入された状態で、撮影装置１の姿勢がグリッド着脱方向と重力方向が略一致する方向に切換えられ、グリッド６が落下し始めても、グリッド６は第２の位置で固定されるため、グリッド６を保持せずに誤って撮影装置の姿勢を切換えたとしても、床に落下させることはない。
【００２２】
図７は第２の実施の形態におけるグリッド６の正面図、図８は平面図、図９は底面図を示しており、第１の実施の形態と同一の部材には同一の符号を付している。グリッド保持部１３の側面には第１の実施の形態と同位置に嵌合穴１４が設けられており、更に第１の嵌合穴１４の反対側の奥行距離Ｌだけ隔てた底面にはハンドル８側の側面がテーパ形状となった第３の嵌合穴３１が設けられている。
【００２３】
グリッド保持部１３の嵌合穴３１が設けられた底部側には、グリッド６を撮影装置１内の第２の位置に固定するために固定解除機構３２が設けられている。この固定解除機構３２はグリッド保持部１３に設けられた軸３３を回転中心として、解除カム３４が回転可能に支持されている。また、解除ノブ３５は軸３６を介して解除カム３４に連結されており、図中の矢印Ｃ、Ｄ方向にスライド移動可能となっている。解除ノブ３５は引張ばね３７により位置Ｃ側に付勢されており、解除カム３４も軸３３を中心に時計回り方向へ回転した状態になっている。
【００２４】
なお、解除ノブ３５をグリッド６の外部から操作できるようにするため、グリッド６の前面は開放されているか、或いはグリッド６には解除ノブ３５を操作するための窓が設けられている。
【００２５】
図１０は撮影装置１に装着されたグリッド６の正面図を示している。固定ピン２３の反対側の底面側には固定ピン４１が設けられており、その先端部は開口部３ａ側がテーパ形状になっており、図示しない案内部材により矢印Ｅ、Ｆ方向にスライド移動が可能とされ、かつ図示しない付勢手段により、位置Ｅ方向に付勢されている。そして、グリッド６が固定ピン２３により第１の位置に固定されている状態においては、グリッド保持部１３の外壁に当接することにより、図示しない付勢手段による付勢力に抗して位置Ｆに位置している。
【００２６】
グリッド６を撮影装置１から取り外す際には、第１の実施の形態と同様に解除レバー２４を操作することにより固定ピン２３による固定を解除する。グリッド６の固定が解除され、グリッド６が右方向に平行移動する途中においては、固定ピン２３、４１は共にグリッド保持部１３の外壁に当接して、それぞれ位置Ｂ、Ｆにある状態を維持する。グリッド６を更に右方向へ移動すると、図１１に示すように固定ピン４１が嵌合穴３１と係合することにより、グリッド６が第２の位置に一旦固定される。
【００２７】
グリッド６を撮影装置１から完全に取り外すには、解除ノブ３５を位置Ｃから位置Ｄにスライド移動させる。解除ノブ３５のスライド移動に連動して、解除カム３４が軸３３を中心にして反時計回り方向に回転し、解除カム３４の先端部３４ａが固定ピン４１の位置を位置Ｅから位置Ｆに押し下げ、固定ピン４１によるグリッド６の固定を解除してグリッド６を引き出す。
【００２８】
この場合に、片方の手はハンドル８を握り、他方の手で解除ノブ３５近辺のグリッド保持部１３を保持しながら、親指で解除ノブ３５をスライド操作することができ、グリッド６を両手で保持することになり、第１の実施の形態よりもグリッド６を誤って落としてしまう機会を低減することができる。
【００２９】
逆に、グリッド６を開口部３ａから撮影装置１に挿入する場合には、グリッド６は案内部材２１、２２に案内されながら左方向へ移動し、グリッド保持部１３に設けられたテーパ部と固定ピン２３、４１のテーパ部が当接し、位置Ａ、Ｅにそれぞれ付勢されていた固定ピン２３、４１が共に位置Ｂ、Ｆへスライド移動する。グリッド６が更に挿入されると、図１１に示すように固定ピン４１が第３の嵌合穴３１と係合し、グリッド６が筐体１の第２の位置に一旦固定される。
【００３０】
第２の位置に固定されたグリッド６を更に撮影装置１内に挿入すると、固定ピン４１のテーパ部と第３の嵌合穴３１のテーパ部が当接し、位置Ｅに付勢されていた固定ピン４１が位置Ｆに押し下げられる。即ち、第２の位置においては、グリッド６は装着する方向には移動の制限がなく、グリッド６を取り外す方向にのみ移動が制限され、位置規制された状態になる。このグリッド６を更に挿入するに際して、解除ノブ３５を操作する必要がなく操作が容易である。そして、グリッド６を更に挿入すると、図１０に示すようにグリッド６の第１の嵌合穴１４に固定ピン２３が係合し、グリッド６は第１の位置に固定されることになる。
【００３１】
このような構成のグリッド着脱機構では、グリッド６を第１の位置と第２の位置に固定する固定手段及び解除手段がそれぞれ異なる位置に設けられている。また、第２の位置に固定されたグリッド６の固定を解除する第２の解除手段が、実質的に第２の固定手段の固定作用時にのみ作用するので、グリッド６を第２の位置により確実に固定することが可能となる。
【００３２】
以上説明したグリッド６の固定手段の形態、解除手段は、第１、第２の実施の形態に限定されることはなく、本発明の目的から逸脱しない範囲であれば他の変形例でも支障はない。例えば、固定手段、解除手段はグリッド６の着脱行程にあれば３個以上設けてもよいし、解除レバー２４のような解除手段の操作部を全てグリッド６側に設けてもよい。また、Ｘ線受像部７として放射線像デジタル検出器７ａを用いたが、放射線写真フイルム又は蓄積性蛍光体シートを収容したカセッテを用いても同様の効果を達成できる。
【００３３】
【発明の効果】
以上説明したように本発明に係る放射線撮影装置のグリッド着脱機構は、グリッド着脱操作時の誤操作或いは操作中の不注意によるグリッドの落下を防止或いは低減することができる。更には、落下によるグリッド特性の劣化、撮影された画質の劣化を防止或いは低減することができる。
【図面の簡単な説明】
【図１】放射線撮影装置の上方から見た断面図である。
【図２】側方から見た断面図である。
【図３】グリッドの正面図である。
【図４】グリッドの平面図である。
【図５】放射線撮影装置に装着されたグリッドの正面図である。
【図６】放射線撮影装置に装着されたグリッドの正面図である。
【図７】グリッドの正面図である。
【図８】グリッドの平面図である。
【図９】グリッドの底面図である。
【図１０】放射線撮影装置に装着されたグリッドの正面図である。
【図１１】放射線撮影装置に装着されたグリッドの正面図である。
【符号の説明】
１  放射線撮影装置
２  Ｘ線発生部
３  筐体
３ａ  開口部
６  グリッド
８  ハンドル
１１  グリッド本体
１２  固定部材
１３  グリッド保持部
１４、１５、３１  嵌合穴
２１、２２  案内部材
２３、４１  固定ピン
２４  解除レバー
３２  固定解除機構
３３、３６  軸
３４  解除カム
３５  解除ノブ
３７  引張ばね
【図１】
0003870083.tif 000002
【図２】
0003870083.tif 000003
【図３】
0003870083.tif 000004
【図４】
0003870083.tif 000005
【図５】
0003870083.tif 000006
【図６】
0003870083.tif 000007
【図７】
0003870083.tif 000008
【図８】
0003870083.tif 000009
【図９】
0003870083.tif 000010
【図１０】
0003870083.tif 000011
【図１１】
0003870083.tif 000012